(57)【特許請求の範囲】
【請求項１】
上部に取付ボルトを備えた屋根用固定金具に取り付けて使用するソーラーパネル取付用台座金具であって、台座本体は、前記取付ボルトを介して前記屋根用固定金具の上部に取り付けられるソーラーパネル載置用の載置板部に、この載置板部の前後両側若しくは左右両側から前記屋根上面に接する脚部が垂設されており、前記載置板部は、前後若しくは左右に並設した二枚の前記ソーラーパネルの外縁部同士を隣接状態で載置可能な前後方向若しくは左右方向に板幅を有し、この載置板部の前後対向二箇所若しくは左右対向二箇所に、この載置板部上に前後若しくは左右に並設して載置した二枚の前記ソーラーパネルの外縁部を支持して位置決めするパネル支持部が設けられ、この各パネル支持部は、前記載置板部から切り起こし形成した切り起こし片で構成されていると共に、その各支持面が対向外側に向かって凸となる凸湾曲面に形成されていることを特徴とするソーラーパネル取付用台座金具。
【請求項２】
前記載置板部は、前記取付ボルトを挿通可能なボルト挿通孔が設けられて、このボルト挿通孔に取付ボルトを挿通することにより前記屋根用固定金具に前記台座本体を取り付けし得るように構成されており、このボルト挿通孔の近傍にしてこのボルト挿通孔を挟んだ前記載置板部の対向位置に、前記パネル支持部が設けられていることを特徴とする請求項１記載のソーラーパネル取付用台座金具。
【請求項３】
前記載置板部の中心部に、前記取付ボルトを挿通可能なボルト挿通孔が設けられて、このボルト挿通孔に取付ボルトを挿通することにより前記屋根用固定金具に前記台座本体を取り付けし得るように構成されており、このボルト挿通孔の近傍にしてこのボルト挿通孔を挟んだ前記載置板部の対向位置に、前記パネル支持部が設けられていることを特徴とする請求項１記載のソーラーパネル取付用台座金具。
【請求項４】
上部に取付ボルトを備えた屋根用固定金具と、前記請求項１〜３のいずれか１項に記載のソーラーパネル取付用台座金具とから成ることを特徴とするソーラーパネル取付用金具。
【発明の詳細な説明】
【技術分野】
【０００１】
本発明は、屋根上にソーラーパネルを設置するためのソーラーパネル取付用台座金具並びにこのソーラーパネル取付用台座金具と屋根上に固定可能な屋根用固定金具とから成るソーラーパネル取付用金具に関するものである。
【背景技術】
【０００２】
従来から、下部に折板屋根や立平葺き屋根のハゼ部に挟持固定する挟持部を有し、上部にソーラーパネルなどの屋根上設置物を取付するための取付ボルトが立設された構成の屋根用固定金具が実施されている。
【０００３】
また、従来から、上記屋根用固定金具と併用することで、ソーラーパネルをより安定的に取付可能となるソーラーパネル取付用台座金具が提案されている。このソーラーパネル取付用台座金具を簡単に説明すると、二枚程度のソーラーパネルを直接あるいは間接的に載置できる面積の広い載置板部を有すると共に、この載置板部の両側に屋根上面に対し接地する脚部を備えた構成とされていて、前記載置板部を前記取付ボルトにより屋根用固定金具の上部に固定して、前記両側の脚部を屋根上面に接地させると、屋根用固定金具に倒れ防止作用と荷重支持補強作用が付与されると共に、広面積の載置板部にソーラーパネルが安定的に取付されることになる（例えば、特許文献１参照）。
【先行技術文献】
【特許文献】
【０００４】
【特許文献１】特開２０１３−１７０３５３号公報
【発明の概要】
【発明が解決しようとする課題】
【０００５】
本発明は、上記のような屋根用固定金具と併用するソーラーパネル取付用台座金具の実用性を更に追求したもので、二枚のソーラーパネルを容易に且つ据わり良く位置決めて安定的に取付できる簡易構造のソーラーパネル取付用台座金具、並びにこのソーラーパネル取付用台座金具と前記屋根用固定金具とから成るソーラーパネル取付用金具を提供するものである。
【課題を解決するための手段】
【０００６】
添付図面を参照して本発明の要旨を説明する。
【０００７】
上部に取付ボルト１を備えた屋根用固定金具Ｂに取り付けて使用するソーラーパネル取付用台座金具Ａであって、台座本体２は、前記取付ボルト１を介して前記屋根用固定金具Ｂの上部に取り付けられるソーラーパネル３載置用の載置板部４に、この載置板部４の前後両側若しくは左右両側から前記屋根６上面に接する脚部５が垂設されており、前記載置板部４は、前後若しくは左右に並設した二枚の前記ソーラーパネル３の外縁部同士を隣接状態で載置可能な前後方向若しくは左右方向に板幅を有し、この載置板部４の前後対向二箇所若しくは左右対向二箇所に、この載置板部４上に前後若しくは左右に並設して載置した二枚の前記ソーラーパネル３の外縁部を支持して位置決めするパネル支持部７が設けられ、この各パネル支持部７は、前記載置板部４から切り起こし形成した切り起こし片７で構成されていると共に、その各支持面８が対向外側に向かって凸となる凸湾曲面８に形成されていることを特徴とするソーラーパネル取付用台座金具に係るものである。
【０００８】
また、前記載置板部４は、前記取付ボルト１を挿通可能なボルト挿通孔９が設けられて、このボルト挿通孔９に取付ボルト１を挿通することにより前記屋根用固定金具Ｂに前記台座本体２を取り付けし得るように構成されており、このボルト挿通孔９の近傍にしてこのボルト挿通孔９を挟んだ前記載置板部４の対向位置に、前記パネル支持部７が設けられていることを特徴とする請求項１記載のソーラーパネル取付用台座金具に係るものである。
【０００９】
また、前記載置板部４の中心部に、前記取付ボルト１を挿通可能なボルト挿通孔９が設けられて、このボルト挿通孔９に取付ボルト１を挿通することにより前記屋根用固定金具Ｂに前記台座本体２を取り付けし得るように構成されており、このボルト挿通孔９の近傍にしてこのボルト挿通孔９を挟んだ前記載置板部４の対向位置に、前記パネル支持部７が設けられていることを特徴とする請求項１記載のソーラーパネル取付用台座金具に係るものである。
【００１０】
また、上部に取付ボルト１を備えた屋根用固定金具Ｂと、前記請求項１〜３のいずれか１項に記載のソーラーパネル取付用台座金具Ａとから成ることを特徴とするソーラーパネル取付用金具に係るものである。
【発明の効果】
【００１１】
本発明は上述のように構成したから、屋根用固定金具と併用することにより、倒れ防止作用と荷重支持補強作用とを効果的に付与できると共に、載置板部上に二枚のソーラーパネルの外縁部を安定的に載置でき、しかも、二枚のソーラーパネルの外縁部をパネル支持部に支持して位置決めできるので、この位置決め作用により仮止めできてソーラーパネル取付作業が容易に行われると共に、ソーラーパネルの取付状態がより安定化することとなり、その上、各パネル支持部の支持面が、対向外側に向かって凸となる凸湾曲面に形成されているため、様々な要因によりソーラーパネルが傾いて配置されたり、本ソーラーパネル取付用台座金具自体が屋根上に傾いて配置されたりした場合においても、ソーラーパネルの外縁部を各パネル支持部の支持面（凸湾曲面）で据わり良く位置決め支持して安定的に取付でき、更にこのパネル支持部は、前記載置板部から切り起こし形成した切り起こし片で構成されているため、載置板部に別部品を装着してパネル支持部を設けるような構成に比べて簡易に且つコスト安に設計実現可能となるなど、極めて実用性に優れたソーラーパネル取付用台座金具となる。
【００１２】
また、請求項２，３記載の発明においては、取付ボルトを有する既存の屋根用固定金具に対して簡易に且つ確実に取付可能であって、前記作用・効果を確実に発揮するパネル支持部を有しソーラーパネルの外縁部を安定的に載置可能な台座本体を簡易に設計実現可能となる一層実用性に優れた構成のソーラーパネル取付用台座金具となる。
【００１３】
また、請求項４記載の発明においては、前記作用・効果を確実に発揮する極めて実用性に優れたソーラーパネル取付用金具となる。
【図面の簡単な説明】
【００１４】
【図１】実施例１を示す分解斜視図である。
【図２】実施例１の使用状態を示す概略説明斜視図である。
【図３】実施例１の使用状態を示す正面図である。
【図４】実施例１の使用状態を示す側面図である。
【図５】実施例１の使用状態における、台座本体とソーラーパネルとが適正に配設された状態を示す説明平面図である。
【図６】実施例１の使用状態における、台座本体が傾いて配設された状態を示す説明平面図である。
【図７】実施例２のソーラーパネル取付用台座金具を示す斜視図である。
【図８】実施例３のソーラーパネル取付用台座金具を示す斜視図である。
【発明を実施するための形態】
【００１５】
好適と考える本発明の実施形態を、図面に基づいて本発明の作用を示して簡単に説明する。
【００１６】
屋根６上に固定された屋根用固定金具Ｂの上部に、その上部の取付ボルト１を介して台座本体２の載置板部４を取り付けて、この載置板部４の前後両側若しくは左右両側から垂設されている脚部５を前記屋根６上面に接することにより、屋根用固定金具Ｂを介して屋根１上に台座本体２（ソーラーパネル取付用台座金具Ａ）が固定される。
【００１７】
すると、この台座本体２の両側の脚部５が屋根６上面に接していることにより、屋根用固定金具Ｂに対し倒れ防止作用が付与されると共に、屋根用固定金具Ｂの荷重支持強度が補強される。
【００１８】
この台座本体２の載置板部４上に、この載置板部５の板幅方向（前後方向若しくは左右方向）の両側に二枚のソーラーパネル３の外縁部を夫々載置して取付することができるが、この際、二枚のソーラーパネル３の外縁部を、載置板部４の前後対向二箇所若しくは左右対向二箇所に設けられているパネル支持部７に支持して位置決めできるので、このパネル支持部７によりソーラーパネル３を一旦仮止めしておいてその取付作業を容易に行うことができると共に、取付終了後はこの位置決め作用により取付状態が安定することになる。
【００１９】
また、この際、各パネル支持部７の支持面８が、対向外側に向かって凸となる凸湾曲面８に形成されていることにより、各パネル支持部７の支持面８に対して多少ソーラーパネル３が傾いた状態で配置されてもその外縁部を凸湾曲面８で据わり良く支持することができる。
【００２０】
即ち、屋根板の変形や、屋根６上に多数固定される屋根用固定金具Ｂの取付位置の誤差等の様々な要因によりソーラーパネル３の外縁部が屋根６の傾斜方向（前後）若しくは屋根６傾斜方向と直交する左右方向に合致せずに傾いて配置されてしまったり、本ソーラーパネル取付用台座金具Ａ自体が屋根６上で傾いて配置されてしまったりすることが往々にしてあるが、本発明によれば、このような状況となっても、例えばソーラーパネル３の他の部位の取付状況を見直したり、本ソーラーパネル取付台座金具Ａや屋根用固定金具Ｂを付け直したりすることなく、ソーラーパネル３を容易に据わり良く位置決め支持して安定的に取付できる。
【００２１】
また、前記載置板部４から切り起こし形成した切り起こし片７で構成されている本発明の各パネル支持部７は、載置板部４に別部品を装着してパネル支持部７を設けるような構成に比べて、簡易に且つコスト安に設計実現可能である。
【実施例１】
【００２２】
本発明の具体的な実施例１について図１〜図６に基づいて説明する。
【００２３】
本実施例は、屋根６上に固定可能で上部に取付ボルト１を備えた屋根用固定金具Ｂと、この屋根用固定金具Ｂに取り付けることにより、この屋根用固定金具Ｂにソーラーパネル３の取付機能を付与するソーラーパネル取付用台座金具Ａとから成るソーラーパネル取付用金具に関するものである。
【００２４】
先ず、本実施例の屋根用固定金具Ｂについて説明すると、屋根６としての立平葺屋根６の勾配方向に連続するハゼ部10に挟持固定することで、屋根６上に固定するタイプのものを採用した場合を示している。以下、本実施例では、この立平葺屋根６のハゼ部10の長さ方向、即ち屋根６の勾配方向に沿う方向を、屋根用固定金具Ｂ並びに後述するソーラーパネル取付用台座金具Ａにおける前後方向と定めて説明する。
【００２５】
具体的には、屋根用固定金具Ｂは、図１，図３に示すように、金属製板材をコ字状に屈曲して天板部11の下部左右に折曲板部12を左右対向状態に設け、この各折曲板部12間の前後二箇所に締付ボルト13を水平貫通配設し、この締付ボルト13に締付ナット14を螺着した構成としている。そして、例えばこの締付ナット14を締め付け回動することで各板材折曲体７の下端に折曲形成した挟持対向部18を締め付け接近して前記ハゼ部10を左右から締め付け挟持し、この挟持作用により本屋根用固定金具Ｂを立平葺屋根６上に固定できるように構成している。
【００２６】
また、この天板部11の中間位置に、この天板部11の下方から六角ボルトを採用した取付ボルト１のボルト先端を挿通して、このボルト先端を天板部11上に立設状態に突出させている。そして、この天板部11上に突出させた取付ボルト１のボルト先端に取付ナット16（六角ナット）を螺着し締付回動することで、取付ボルト１を天板部11に立設固定した構成としている。
【００２７】
次に、本実施例のソーラーパネル取付用台座金具Ａについて説明すると、台座本体２は、前記取付ボルト１を介して前記屋根用固定金具Ｂの上部に取り付けられるソーラーパネル３載置用の載置板部４に、この載置板部４の左右両側から前記屋根６上面に接する脚部５を垂設した構成としている。
【００２８】
具体的には、ソーラーパネル取付用台座金具Ａは、図１，図３に示すように、帯状の金属製板材をコ字状に屈曲して前記載置板部４の下部左右に前記脚部５を左右対向状態に垂設し、更にこの左右の脚部５の下端を夫々対向外側に直角に折曲してこの左右の下端折曲部を前記屋根６の上面に面接する当接部17としている。
【００２９】
また、載置板部４は、前後方向に長さを有する長方形板状であって、且つ前後に並設した二枚の前記ソーラーパネル３の外縁部同士を隣接状態で載置可能な前後方向に板幅を有する構成としている。更に詳しくは、載置板部４は、前記屋根用固定金具Ｂの天板部11の前後幅と略同等の前後幅を有すると共に、天板部11の左右幅に対し約３倍の左右幅を有する形状に設定構成して、載置面積を広く確保している。
【００３０】
また、載置板部４は、その中心部に、前記取付ボルト１を挿通可能なボルト挿通孔９を設けて、台座本体２を屋根用固定金具Ｂに対し上方から被せるようにしてこのボルト挿通孔９に下方から取付ボルト１を挿通することにより、前記屋根用固定金具Ｂの天板部11上に載置板部４の下面を載置でき、この状態で前記取付ボルト１先端に前記取付ナット16を螺着し締付操作することで、載置板部４を上方から締付けて前記台座本体２を屋根用固定金具Ｂに取り付けし得るように構成している。
【００３１】
また、左右の前記脚部５は、その垂下長を、立平葺屋根６上に固定した前記屋根用固定金具Ｂの天板部11上に載置板部４を載置した際に、前記当接部17が前記立平葺屋根６の上面に接することとなる垂下長に設定構成している。
【００３２】
従って、ソーラーパネル取付用台座金具Ａを屋根用固定金具Ｂと共に立平葺屋根６上に固定すると、このソーラーパネル取付用台座金具Ａの左右両側の脚部５が屋根６上面に接していることにより、屋根用固定金具Ｂに対し強固な倒れ防止作用が付与されると共に、屋根用固定金具Ｂの荷重支持強度が補強されることになる構成としている。
【００３３】
また、左右の脚部５は、夫々の前縁部の中ほどを後方へ向かって凹状に切欠すると共に、夫々の後縁部の中ほどを前方へ向かって凹状に切欠して、前記屋根用固定金具Ｂに取付けたソーラーパネル取付用台座金具Ａを左右側方から見ると、この前後の切欠部18を介して前記屋根用固定金具Ｂの前後二箇所の締付ボルト13並びに締付ナット14が露出するように構成している（図４参照）。即ち、この前後の切欠部18を介して前記屋根用固定金具Ｂの前後二箇所の締付ボルト13並びに締付ナット14の締緩操作を容易に行うことができるように構成している。
【００３４】
また、ここで、本実施例のソーラーパネル３の取付構造を説明すると、前記取付ボルト１に、この取付ボルト１に螺着した押え込みナット19の締付操作により前記載置板部４に載置したソーラーパネル３の外縁部を上方から押さえ込み固定する固定部材20を設けている。
【００３５】
また、本実施例の固定部材20は、図２に示すように、隣接設置するソーラーパネル３間に配設して隣接するソーラーパネル３を二枚同時に押さえ込み固定可能な第一の固定部材20Ａと、隣接設置するソーラーパネル３の端位置の固定に適したソーラーパネル３を一枚だけ押さえ込み固定可能な第二の固定部材20Ｂの二種類を用意している。
【００３６】
具体的には、第一の固定部材20Ａは、図２〜図４に示すように、一枚の金属板を略コ字状に折曲して左右の突出板部21が上部となり各突出板部21の基端部間の中間板部22が下部となる形状に形成すると共に、左右の突出板部21の上部を夫々対向外側に折曲形成してこれをソーラーパネル３の外縁部の上面に当接する押さえ片23とし、更に中間板部22の中心部に前記取付ボルト１を挿通するボルト通し孔（図示省略）を貫通形成した構成としている。
【００３７】
従って、この第一の固定部材20Ａは、一方の押さえ片23が前記載置板部４の前側に載置したソーラーパネル３の外縁部の上面を上方から押さえ込み固定し、他方の押さえ片23が前記載置板部４の後側に載置したソーラーパネル３の外縁部の上面を上方から押さえ込み固定する構成としている（図４参照。）。
【００３８】
第二の固定部材20Ｂは、前記第一の固定部材20Ａと同様に一枚の金属板を折曲して成るものであるが、突出板部21が片側にだけある仕様である。即ち、第二の固定部材20Ｂは、押さえ片23が片側にだけ設けられていて、一枚のソーラーパネル３の外縁部を上方から押さえ込み固定する構成である（図２参照。）。
【００３９】
また、この固定部材20の取付ボルト１への取り付け構造は、載置板部４より上方に立設突出する取付ボルト１を、固定部材20に設けた前記ボルト通し孔に下方から挿通することで載置板部４の上方に固定部材20を配設すると共に、このボルト通し孔から固定部材20の中間板部22の上方に突出する前記取付ボルト１のボルト先端に押え込みナット19（六角ナット）を螺着することで、固定部材20を上方へ抜止状態に取り付けした構造としている。
【００４０】
そして、この押え込みナット19の締付回動操作に伴って固定部材20が取付ボルト１（載置板部４）に対し下降移動して、前記押さえ片23が前記載置板部４に載置したソーラーパネル３の外縁部の上面を上方から押さえ込み固定する（固定部材20の押さえ片23と載置板部４とでソーラーパネル３の外縁部を上下から挟持固定する）構成としている。
【００４１】
また、本実施例では、前記載置板部４の、前後対向二箇所に、この載置板部４上に前後に並設して載置した二枚の前記ソーラーパネル３の外縁部を支持して位置決めするパネル支持部７を設けている。
【００４２】
具体的には、各パネル支持部７は、図１に示すように、前記ボルト挿通孔９の近傍にしてこのボルト挿通孔９を挟んだ前記載置板部４の前後対向位置に設けると共に、この各パネル支持部７は、前記載置板部４からプレス加工等によって切り起こし形成した切り起こし片７によって構成している。即ち、各パネル支持部７は、載置板部４より一体成形している。
【００４３】
また、この各パネル支持部７は、その各支持面８（各パネル支持部７の対向外側面）が対向外側に向かって凸となる凸湾曲面８となるように折曲形成している。更に詳しくは、この左右の凸湾曲面８は、図５，図６に示すように、いずれも前記ボルト挿通孔９を中心として描かれる仮想円の円周の軌跡上に存する形状（曲率）の湾曲面に形成している。
【００４４】
従って、この台座本体２の載置板部４上に、この載置板部５の前後方向の両側に二枚のソーラーパネル３の外縁部を夫々載置して取付することができるが、この際、二枚のソーラーパネル３の外縁部を、載置板部４の前後対向二箇所に設けたパネル支持部７に支持して位置決めできるので、ソーラーパネル３の仮止めができてその取付作業が容易に行われると共に、取付終了後はこの位置決め作用によりソーラーパネル３の取付状態が安定することになる構成としている（図５参照）。
【００４５】
また、この際、各パネル支持部７の支持面８が、対向外側に向かって凸となる凸湾曲面８に形成してあることにより、各パネル支持部７の支持面８に対して多少ソーラーパネル３が傾いた状態で配置されたりソーラーパネル３に対して多少支持面８が傾いた状態で配置されても、ソーラーパネル３の外縁部を凸湾曲面８で据わり良く支持することができる構成としている（図６参照）。
【００４６】
尚、左右に並設した二枚の前記ソーラーパネル３の外縁部同士を隣接状態で載置可能な左右方向に板幅を有する載置板部４を構成し、この載置板部４の左右対向二箇所に、この載置板部４上に左右に並設して載置した二枚の前記ソーラーパネル３の外縁部を支持して位置決めするパネル支持部７を設ける構成としても良い。
【００４７】
図中符号24は隣接するソーラーパネル３同士をアース接続するアース板であって、図面はこのアース板24を介してソーラーパネル３を載置板部４上に（間接的に）載置した場合を示している。
【実施例２】
【００４８】
本発明の具体的な実施例２について図７に基づいて説明する。
【００４９】
本実施例は、前記実施例１において、ソーラーパネル取付用金具Ａの構成を異ならせた場合である。
【００５０】
具体的には、本実施例のソーラーパネル取付用金具Ａは、その脚部５の前後に設ける前記切欠部18を、丸孔状の切欠とした場合である。
【００５１】
他の構成は、前記実施例１と同様である。
【実施例３】
【００５２】
本発明の具体的な実施例３について図８に基づいて説明する。
【００５３】
本実施例も、前記実施例１において、ソーラーパネル取付用金具Ａの構成を異ならせた場合である。
【００５４】
具体的には、本実施例のソーラーパネル取付用金具Ａは、その脚部５の前後の前記切欠部18間位置に、その下端から上方に向かって凹状に切欠する中間切欠部18Ａを設けた場合である。
【００５５】
この中間切欠部18Ａは、例えば、前記締付ボルト13が一本しかないタイプの前記屋根用固定金具Ｂを使用した場合の締緩操作に使用できる。
【００５６】
他の構成は、前記実施例１と同様である。
【００５７】
尚、本発明は、実施例１〜３に限られるものではなく、各構成要件の具体的構成は適宜設計し得るものである。
【符号の説明】
【００５８】
１  取付ボルト
２  台座本体
３  ソーラーパネル
４  載置板部
５  脚部
６  屋根
７  パネル支持部・切り起こし片
８  支持面・凸湾曲面
９  ボルト挿通孔
Ａ  ソーラーパネル取付用台座金具
Ｂ  屋根用固定金具
【図１】
0006039624.tif 000002
【図２】
0006039624.tif 000003
【図３】
0006039624.tif 000004
【図４】
0006039624.tif 000005
【図５】
0006039624.tif 000006
【図６】
0006039624.tif 000007
【図７】
0006039624.tif 000008
【図８】
0006039624.tif 000009